(57)【特許請求の範囲】
【請求項１】
ガス、水道等の電文式メータ（７）とセンタ（６）にて通信をするための複数の電文フォーマットで通信する機能を有すると共に、直接前記電文式メータ（７）の電文フォーマットにて通信が出来るよう電文にマーク信号とスペース信号を付加する機能を有し、前記電文式メータ（７）から前記センタ（６）へ送信する電文のマーク信号とスペース信号を取り去る機能を有する電文通信手段（４）と、電話回線を介してセンタ（６）と接続する網制御手段（５）と、前記センタ（６）と電話回線にて通信する伝送手段（３）と、前記センタ（６）から前記電文式メータ（７）に対して複数の電文フォーマットによる電文を順次送信した時、送信された電文に対する返信の有無を判定し、該当する電文式メータ（７）の種類を判定するよう制御を行うと共に、前記伝送手段（３）と前記電文通信手段（４）および前記網制御手段（５）を制御する制御手段（２）とを備えたことを特徴とする自動通報システム。
【発明の詳細な説明】
【０００１】
【産業上の利用分野】
本発明は、需要家端末に設置され、主にプロパンガス、水道、電力等の電文式メータの計数値、プロパンガスのボンベ残量が残り少なくなった時の残量警報や、その他センサ等の状態をセンタ設備のホストコンピュータへ電話回線を介して自動的に通報する自動通報システムに関するものである。
【０００２】
【従来の技術】
電文式メータを使用した自動通報システムにおいて、電文式メータ固有の電文にて通信をするには、電文式メータの通信電文を自動通報装置側または、センタ側に電文式メータ固有の電文を記憶しておき、電文式メータ固有の電文に対応した電文式メータを接続しなければならない。例えば、特開平５−１９１５２３号公報の端末網制御装置である。
【０００３】
【発明が解決しようとする課題】
前記特開平５−１９１５２３号公報に記載されている自動通報装置に複数の電文式メータを接続する場合、接続される電文式メータの電文フォーマットは自動通報装置、またはセンタ内にて予め登録された特定の接続端子に特定の電文式メータを接続しないと、電文式メータをシステム内に組み込むのは不可能である。
【０００４】
本発明は、かかる従来の課題を解消するもので、センタまたは自動通報装置によって電文式メータの通信電文のフォーマットを判定処理することによって、自動通報装置に接続する電文式メータの機種の種類を配慮せず接続が出来、より設置作業性の良いシステム構築が可能な自動通報システムを提供することを目的とする。
【０００５】
【課題を解決するための手段】
本発明は前記課題を解決するために、ガス、水道等の電文式メータとセンタにて通信をするための複数の電文フォーマットで通信する機能を有すると共に、直接前記電文式メータの電文フォーマットにて通信が出来るよう電文にマーク信号とスペース信号を付加する機能を有し、前記電文式メータから前記センタへ送信する電文のマーク信号とスペース信号を取り去る機能を有する電文通信手段と、電話回線を介してセンタと接続する網制御手段と、前記センタと電話回線にて通信する伝送手段と、前記センタから前記電文式メータに対して複数の電文フォーマットによる電文を順次送信した時、送信された電文に対する返信の有無を判定し、該当する電文式メータの種類を判定するよう制御を行うと共に、前記伝送手段と前記電文通信手段および前記網制御手段を制御する制御手段とを備えたものとした。
【０００６】
【作用】
本発明は、前記手段にすることによって、自動通報装置によって電文メータの通信電文のフォーマットを自動判定することで、自動通報装置に接続する電文式メータの機種の種類を配慮せず接続が出来、より設置作業性の良いシステム構築が可能となる。
【０００７】
【実施例】
図１は、本発明の一実施例を示す自動通報システムの全体構成図である。
【０００８】
１は自動通報装置であり、電話網等の通信回線を介してセンタ６と接続するとともに、電文式メータ７ａ〜７ｃを接続してある。
【０００９】
自動通報装置１は、センタ６と通信回線を介して接続するための網制御手段５と、モデム等の伝送手段３とセンタ６から送出された電文式メータ７ａ，７ｂ，７ｃに対する電文にマーク信号及びスペース信号を付加し、かつ電文式メータ７ａ，７ｂ，７ｃからの通信電文からマーク信号及びスペース信号を取り去り、また複数の電文式メータ７ａ，７ｂ，７ｃの接続を切り替えるための電文通信手段４と、伝送手段３と電文通信手段４および網制御手段５とを制御する制御手段２とで構成している。
【００１０】
また、制御手段２は、プロパンガス用電文式メータの通信フォーマットである”２００［ＢＰＳ］、データビット５、パリティビット無し、ストップビット１”形式電文と電力、水道用電文式メータの通信フォーマットである”３００［ＢＰＳ］、データビット７、パリティビット無し、ストップビット１”形式の電文とをプログラムコード中にデータとして格納してある。また、メーカ独自のローカルな電文フォーマットの為に電文フォーマット及び通信電文の設定の追加を行うことが出来るように構成してある。
【００１１】
次に、図２は、図１の電文通信手段４の入出力信号の様子を説明したものであり、図１のＡ点とＢ点は、図２のＡ信号とＢ信号の状態を示したものである。
【００１２】
本発明の自動通報システムは、接続された電文式メータ固有の電文を特定するべく、電文フォーマットの形式は、”２００［ＢＰＳ］、データビット５、パリティビット無し、ストップビット１”または、”３００［ＢＰＳ］、データビット７、パリティビット無し、ストップビット１”であるが、メーカ独自のローカルな電文フォーマットも有り得るので、”２００［ＢＰＳ］、データビット５、パリティビット無し、ストップビット１”または、”３００［ＢＰＳ］、データビット７、パリティビット無し、ストップビット１”の場合、自動通報装置１またはセンタ６より順次、各種電文式メータ７ａ〜７ｃの電文フォーマットを特定すべく電文を送出する。
【００１３】
また、”２００［ＢＰＳ］、データビット５、パリティビット無し、ストップビット１”、”３００［ＢＰＳ］、データビット７、パリティビット無し、ストップビット１”または、メーカ独自のローカルな電文フォーマットの場合、センタ６の設定により順次、各種の電文式メータ７ａ〜７ｃに対応する特定の電文を送出する。
【００１４】
そして、電文式メータ７ａ〜７ｃより応答があった電文に対応する電文式メータの形式を接続された電文式メータ７ａ〜７ｃの形式として自動通報装置側または自動通報装置１からの通報によりセンタ６に登録する手段を備えたものとする。
【００１５】
次に、前記構成における作用を説明する。
【００１６】
制御手段２に蓄積されたプログラムコードによって電文式メータ７ａ，７ｂ，７ｃの接続作業が終了した場合、網制御手段５によりセンタ６と接続される。
【００１７】
又は、センタ６からの通信回線を通じての呼び出しによって、網制御手段５を通じて自動通報装置１が呼び出されていることを制御手段２によって判定し、制御手段２により網制御手段５を制御しセンタ６と接続する。
【００１８】
そして、回線接続後、伝送手段３を通じてセンタ６と制御手段２との間にてパスワード等の接続手順を経て後、制御手段２は、電文通信手段４を制御しセンタ６と電文式メータ７ａ，７ｂ，７ｃとを直接、電文式メータ７ａ，７ｂ，７ｃの電文フォーマットにて通信可能となるよう接続する。
【００１９】
次に、図２を用いセンタ６と直接電文式メータ７ａ，７ｂ，７ｃ間にて電文通信する方法について説明する。
【００２０】
自動通報装置１によってセンタ６と電文式メータ７ａ，７ｂ，７ｃが接続された後、まず、電文式メータ７ａよりプロパンガス用電文式メータ電文を送出する。
【００２１】
センタ６より送出された電文８は伝送手段３によって制御手段２に渡される。
【００２２】
制御手段２は、電文８の最初の文字が”ＳＴＸ”（スタート  オブ  テキスト）であれば、電文通信手段４を介して電文式メータ７ａにマーク信号を出力する。その間センタ６から送信される電文の文字データは制御手段２内にバッファされ、マーク信号の出力が終了した時点にてバッファ内の文字データがセンタ６から送出された順序にて送出される。
【００２３】
また、文字データに”ＥＴＸ”（エンド  オブ  テキスト）、又は任意間の文字データ無しの間隔があった場合、制御手段２は、電文通信手段４を介して電文式メータ７ａにスペース信号を出力され、電文９の様に変換される。
【００２４】
そして、電文９が電文式メータ７ａに対応する電文であれば、電文式メータ７ａより送出された電文１１は電文通信手段４を介し、文字データのみ制御手段２によって電文１０に変換された後、伝送手段３に渡され、センタ６に送出された後、電文式メータ７ａは、プロパンガス用電文式メータであるということが制御手段２内に登録される。
【００２５】
また、電文１１が返信されなければ電文式メータ７ａはプロパンガス用ではないとして、同様に電力用電文式メータ、次に水道用電文式メータに対応する電文を送信する。
【００２６】
そして、送信した電文に対する返信の有無を判定し、何の電文式メータに対応しているのか、未知の電文式メータなのかを判定する。
【００２７】
電文式メータ７ａの電文フォーマットか特定出来た後、同様に電文式メータ７ｂ，７ｃにおいても行い、センタ６、及び制御手段２内にて接続された電文式メータの認識を行う。
【００２８】
【発明の効果】
以上述べたように、本発明によれば、自動通報装置に接続する電文式メータの機種の種類を配慮せず接続が出来、より設置作業性の良いシステム構築が可能となる等有益な自動通報システムを提供できた。
【図面の簡単な説明】
【図１】本発明の一実施例を示す自動通報システムの全体構成を示すブロック図である。
【図２】本発明の一実施例を示す自動通報システムのＡ点及びＢ点の入出力信号を説明するための電文構成図である。
【符号の説明】
１  自動通報装置
２  制御手段
３  伝送手段
４  電文通信手段
５  網制御手段
６  センタ
７  電文式メータ
８  センタからの送出電文
９  電文通信手順によって変換後の電文
１０  電文通信手順によって変換後の電文
１１  電文式メータからの送出電文
【図１】
0003548242.tif 000002
【図２】
0003548242.tif 000003